(57)【要約】【課題】密封した流動性蓄熱媒体ができるだけ偏在しないようにし、また前記媒体を封入したパックをカバー内に容易に収納することができ、カバー内で移動しないようにしたフレキシブルな保冷・保温マットを提供することである。【解決手段】流動性蓄熱媒体Ａを小分けにして収納したフレキシブルなシート状パック１０を所定間隔で収納保持する複数のポケット２１を有するフレキシブルな内袋２０と、この内袋２０を収納するフレキシブルなカバー３０とによって保冷・保温マットを構成したのである。【選択図】図１
0003152786.tif 000002
【実用新案登録請求の範囲】
【請求項１】
流動性のある蓄熱媒体を小分けにして密封した複数の収納部を有するフレキシブルなシート状パックと、
前記シート状パックを挿入取出し可能に収納しかつ保持する複数のポケットを有するフレキシブルな内袋と、
前記内袋を収納するカバーより成るフレキシブルな保冷・保温マット。
【請求項２】
前記蓄熱媒体を密封した収納部は約８×８ｃｍ〜１２×１２ｃｍのほぼ正方形で平均厚みが約３ｍｍ〜６ｍｍである請求項１に記載の保冷・保温マット。
【請求項３】
前記シート状パックは細長い長方形で前記内袋のポケットはシート状パックがゆるく挿入可能な相似形をしている請求項１または２に記載の保冷・保温マット。
【請求項４】
前記内袋はフレキシブルなシートより成り、そのポケットの開口端に前記シートの折返しが設けられた請求項１〜３のいずれかに記載の保冷・保温マット。
【請求項５】
前記内袋はほぼ方形になっており、その４隅の外面に面ファスナの一方の部材が固着され、前記カバーは前記内袋を収納可能な相似形でその内面の４隅に前記面ファスナの一方の部材に対応する他方の部材が固着されている請求項１〜４のいずれかに記載の保冷・保温マット。
【請求項６】
前記カバーの一側縁には開閉自在の開口が設けられ、この開口に対応する他側縁の両端部にそれぞれカバー内面に連通する切欠きが設けられた請求項５に記載の保冷・保温マット。
【考案の詳細な説明】
【技術分野】
【０００１】
この考案は、枕や敷き布、掛け布等に使用する保冷・保温マットに関する。
【背景技術】
【０００２】
従来から、寝具などの保湿性を高めたり、保冷性を付与するために、別途蓄熱媒体を封入した平袋（ひらぶくろ）などが用いられている。これらの蓄熱媒体には、粉粒体のほか、近年粘稠性媒体が用いられるようになり、後者は予め加熱または冷却した平袋を枕などに装着すると、少くとも数時間は保温・冷却効果を持続することができる。
【０００３】
しかしながら、上記のような媒体は、云うまでもなく流動性が大きいため、例えば平袋に装填しても加圧力や上下方向によって流動変形し一方に片寄って均一な厚みを維持し難く、寝心地などが悪くなる問題がある。
【０００４】
さらに、媒体を封入した平袋は合成樹脂シートより成り、これを直接寝具に装着すると肌触りが良くないため、肌触りの良い布帛をカバーにしているが、柔軟性の大きい平袋がカバー内で移動して片寄る問題もある。
【考案の概要】
【考案が解決しようとする課題】
【０００５】
そこで、この考案の課題は、封入した媒体ができるだけ偏在しないようにし、また媒体を封入したパックを容易にカバー内に収納することができ、カバー内で移動しないようにすることである。
【課題を解決するための手段】
【０００６】
上記の課題を解決するために、この考案においては、流動性のある蓄熱媒体を小分けにして密封した複数の収納部を有するフレキシブルなシート状パックと、このシート状パックをそれぞれ挿入取出し可能に収納する複数のポケットを有するフレキシブルな通気性内袋と、この内袋を収納するカバーによって、フレキシブルな保冷・保温マットを構成したのである。
【０００７】
前記シート状パックの収納部は、ほぼ正方形で約８×８ｃｍ〜１２×１２ｃｍの大きさを有し、平均厚みが約３ｍｍ〜６ｍｍが好ましい。またこのシート状パックは細長い長方形で前記内袋のポケットはシート状パックがゆるく挿入可能な相似形になっている。そして内袋のポケットの開口端に折返しを設けておくのがよい。
【０００８】
前記内袋は長方形、正方形を含む方形になっており、その４隅の外面に面ファスナの一方の部材を固着し、前記カバーの内面の４隅に前記面ファスナの一方の部材に対応する他方の部材を固着しておくのが好ましい。
【０００９】
さらに、前記面ファスナの他方の部材を固着する４隅のうち、カバーの開口と反対側の側縁の両端に、カバーの内面と連通する切欠きを設けておくのが好ましい。
【考案の効果】
【００１０】
この考案によれば、以上のように、流動性媒体を小分けして密封したので偏在することが少なく比較的フラットな状態を保持し易い。特に媒体を収納する収納部の面積及び厚みを限定することによりフラットな状態を維持することができる。
【００１１】
さらに、別に内袋を設けて媒体を収納するシート状パックを内袋のそれぞれのポケットに容易に挿入取出し可能とし、かつシート状パックの位置を保持できるようにしたので、シート状パックを固定するためにカバーに縫着する等の必要はない。またシート状パックを装着した内袋にカバーを被せるのは容易である。
【図面の簡単な説明】
【００１２】
【図１】この考案の一実施形態の保冷・保温マットを示す横断面図
【図２】シート状パックを示す平面図
【図３】内袋の平面図
【図４】内袋の横断面図
【図５】内袋の他の例を示す平面図
【図６】内袋の横断面図
【図７】内袋の開口部の拡大横断面図
【図８】カバーの他の例を示す平面図
【図９】カバーの横断面図
【考案を実施するための形態】
【００１３】
以下、この考案の実施形態を添付図面に基づいて説明する。図１に示すように、保冷・保温マットは、例えば硫酸ナトリウム１０水塩などの蓄熱媒体Ａを収納したシート状パック１０と、複数のシート状パック１０を所定間隔で収納保持する内袋２０と、この内袋２０を被う袋状カバー３０より成り、全体としてフレキシブルで平坦な厚めのシート状になっている。
【００１４】
図２に示すように、前記シート状パック１０は、液体を透過しないフレキシブルな合成樹脂フィルムより成り、流動性のある媒体Ａを小分けにして収納部１１に密封した細長い長方形状をしている。隣接する収納部１１は、シール部１２により隔離されてほぼ等間隔に配置され、各収納部１１は、約８×８ｃｍ〜１２×１２ｃｍのほぼ正方形の平袋状に形成され、媒体Ａが約３ｍｍ〜６ｍｍの平均厚み（いずれもフィルムの厚みを含む）になるように収納されている。前記収納部１１の大きさ及び厚みを上記に限定したのは、媒体Ａの粘稠性を考慮して媒体Ａが収納部１１の一方に片寄らず均一な厚みになり、かつ保冷性、保温性を維持するのに充分な量を収納できるようにするためである。前記収納部１１は、３個のものを示したが、２〜６個の任意の数を選択することができる。但し、後述する内袋２０への挿入の作業性を考えると、２〜４個が好ましい。
【００１５】
前記内袋２０は、通気性の良好なフレキシブルシート例えば不織布より成り、図３及び図４に示すように、複数のほぼ長方形状ポケット２１が形成されている。各ポケット２１の一端２２は開放され、他端２３は閉じられている。そして隣接するポケット２１は、シール部２４で隔離されており、内袋２０の側縁２５、端縁２６もシールされている。即ち２枚の不織布を重ね合せてシール部２４、側縁２５、端縁２６を高周波シールすることにより内袋２０が形成される。この内袋２０は方形状が好ましい。
【００１６】
前記ポケット２１は、図３の鎖線で示すように、前記シート状パック１０とほぼ相似形で内寸法がシート状パック１０の外寸法より大きく、シート状パック１０を一端２２の開放口から挿入して保持することができるようになっている。
【００１７】
次に図１を参照しながら、前記カバー３０の構造を説明する。前記カバー３０は、肌触りのよい編布、織布、不織布等より成り、前記内袋２０とほぼ相似形の平袋状で、内袋２０を収納できるサイズに形成されている。その一端または一側には、内袋２０（シート状パック１０を装着した）を挿入する開口３１が設けられ、開口３１の周縁にはスライドファスナ３２が取り付けられ、開口３１を開閉することができるようになっている。また、カバー３０の側縁には、枕等に縛り付けるための紐３３が固着されている。
【００１８】
前記保冷・保温マットを用いる場合には、まずシート状パック１０を単独で取り出して冷蔵庫等で冷却する。或は、内袋２０にシート状パック１０を装着した状態で冷却してもよい。シート状パック１０を単独で冷却した場合は、冷却後直ちに内袋２０に挿入する。そのほか、保冷・保温マット全体を冷蔵庫に投入しておいてもよい。
【００１９】
上記処理後の内袋２０をカバー３０に挿入し（マット全体を冷却した場合は、この操作は不要）、その紐３３で枕の上面に縛り付けて固定した状態で使用する。
【００２０】
また人体の脚部等に使用したい場合には、マットのみを直接脚部に巻き付け、紐３３で固定すればよい。なお、保温用に使用する場合は、シート状パック１０またはシート状パック１０を装着した内袋２０をオーブンレンジや温風機等で加熱した後に使用する。
【００２１】
図５乃至図９に他の実施形態を示す。図５及び図６に示すように、前記内袋２０は多数のポケット２１を有するものとすることができる。図中符号２４はシール部である。図示の場合は、一列に７個のポケット２１をほぼ等間隔に設け、これを二列配列したものを示している。前記シート状パック１０を一辺が約８〜１３ｃｍ、他辺が３０〜５０ｃｍの長方形に定格化しておくと、ポケット２１の数を増減することによって、保冷・保温マットのサイズや形状を種々選択することができる。
【００２２】
前記内袋２０のサイズを大きくすると、カバー３０に挿入する作業が困難になり、使用中にもカバー３０と内袋２０がずれて違和感を生じる。そこで、図５、図６に示すように、内袋２０の４隅に面ファスナの一方の部材２７を取り付けておき、図８及び図９に示すように、カバー３０の４隅の内面に面ファスナの他方の部材３７を取り付け、前記内袋２０をカバー３０内に挿入したとき、面ファスナの一方の部材２７と他方の部材３７をそれぞれ係合させると、内袋２０とカバー３０の位置がずれることがない。なお、面ファスナを係合させるとき、カバー３０の開口３１側の面ファスナは、開口３１から手を入れて係合し易いが、開口３１と反対側の端縁は閉じられているので、手を入れることができない。そこで図示のように、開口３１と反対側の端縁の隅に、指を挿入して操作できる切欠き３４を設けておく。
【００２３】
なお、図６及び図７に示すように、内袋２０のポケット２１の開口側に折返し２８を設けておくと、シート状パック１０を挿入した後、その端部が折返し２８の内側に嵌り込んで係止され脱落が防止される。
【００２４】
この実施形態のように多数のシート状パック１０を内装した保冷・保温用具は、例えば布団に敷いて就寝時に用いることができる。
【符号の説明】
【００２５】
Ａ  蓄熱媒体
１０  シート状パック
１１  媒体の収納部
１２  シール部
２０  内袋
２１  ポケット
２２  ポケットの一端
２３  ポケットの他端
２４  シール部
２５  側縁
２６  端縁
２７  面ファスナの一方の部材
２８  折返し
３０  カバー
３１  開口
３２  スライドファスナ
３３  紐
３４  切欠き
３７  面ファスナの他方の部材
【図１】
0003152786.tif 000003
【図２】
0003152786.tif 000004
【図３】
0003152786.tif 000005
【図４】
0003152786.tif 000006
【図５】
0003152786.tif 000007
【図６】
0003152786.tif 000008
【図７】
0003152786.tif 000009
【図８】
0003152786.tif 000010
【図９】
0003152786.tif 000011